(57)【要約】  送風装置（１００）は、送風部（１２０）、第１回路基板（１３１）、第２回路基板（１３２）、上筐体（１１５）、中筐体（１１０）、及び下筐体（１０５）を備える。下筐体（１０５）は、吸気孔（１０６）を有する。中筐体（１１０）は、チューブ（Ｔ）が装着されるノズル（１１２）を有し、ノズル（１１２）の内側に排気孔（１１１）を有する。排気孔（１１１）は、チューブ（Ｔ）を介してマスク（Ｍ）に接続される。送風部（１２０）は、ファン（１２１）とファン（１２１）を回転させるモータ（１２５）とを有する。送風部（１２０）は、第１回路基板（１３１）および第２回路基板（１３２）の間の領域に位置する。第１回路基板（１３１）は、ファン（１２１）の回転軸（Ｒ）と交差する。第１回路基板（１３１）は、第１回路基板（１３１）を上筐体（１１５）側から正面視したとき、送風部（１２０）を覆う。
2017029950.tif 000002
【特許請求の範囲】
【請求項１】
ファンと前記ファンを回転させるモータとを有する送風部と、
前記モータの駆動を制御する制御回路を実装するとともに、前記ファンの回転軸と交差する第１回路基板と、
吸気孔及び排気孔を有するとともに、前記送風部及び前記第１回路基板を収納する筺体と、を備え、
前記第１回路基板は、前記第１回路基板を正面視したとき、前記送風部と重なることを特徴とする送風装置。
【請求項２】
前記第１回路基板は、前記第１回路基板を正面視したとき、前記送風部の全体と重なることを特徴とする請求項１に記載の送風装置。
【請求項３】
前記ファンの回転軸と交差するとともに前記筐体に収納される第２回路基板を備え、
前記送風部は、前記第１回路基板および前記第２回路基板の間の領域に位置することを特徴とする請求項１又は請求項２に記載の送風装置。
【請求項４】
前記筺体は、前記第１回路基板を固定する固定部を有し、
前記第１回路基板と前記固定部とは、弾性体を挟んで接着されていることを特徴とする請求項１から３のいずれか１項に記載の送風装置。
【請求項５】
前記制御回路は、特定の帯域の信号を減衰させるフィルタ回路を含むことを特徴とする請求項１から４のいずれか１項に記載の送風装置。
【請求項６】
前記モータの駆動により生じる音または振動の周波数を検知するセンサを備え、
前記制御回路は、前記センサが出力する検知結果に基づいて前記フィルタ回路の設定を行うことを特徴とする請求項１から５のいずれか１項に記載の送風装置。
【請求項７】
前記送風部から発生する第１の音を検出するマイクロフォンと、
前記マイクロフォンで検出した前記第１の音とは逆位相の第２の音を発生させる消音スピーカと、を備え、
前記消音スピーカは、前記吸気孔に向いた状態で前記筐体に収納されていることを特徴とする請求項１から６のいずれか１項に記載の送風装置。
【請求項８】
前記ファンは、前記回転軸に対して放射状に伸びる複数の羽根を有し、
前記排気孔は、前記回転軸に対して前記複数の羽根より外周に位置し、
前記排気孔の直径は、前記回転軸と平行方向の各羽根の長さより大きいことを特徴とする請求項１から７のいずれか１項に記載の送風装置。
【発明の詳細な説明】
【技術分野】
【０００１】
本発明は、気体を送風する送風装置に関するものである。
【背景技術】
【０００２】
従来、睡眠時無呼吸症候群の治療法として、患者の鼻に装着したマスクから空気を送りこむことによって、一定の圧力を患者の気道にかける持続的気道陽圧療法（ＣＰＡＰ）が行われている。持続的気道陽圧療法（ＣＰＡＰ）では、空気を送風する送風装置が用いられる。【０００３】
例えば特許文献１は、ブロワ（送風部）を備える送風装置を開示している。ブロワは、ファンとファンを回転させるモータとを有する。送風装置は、例えば患者が寝ている間にモータを駆動してファンを回転させる。これにより送風装置は、ファンからマスクに空気を送り、患者の気道を一定の圧力に保つ。ここで、モータが駆動している間、ブロワから騒音や振動が発生する。【０００４】
そこで、特許文献１の送風装置は、ブロワをエンクロージャで覆い、さらにエンクロージャをケースで覆っている。エンクロージャは、金属とポリマーの複合材料で構成されている。ケースは、樹脂で構成されている。これにより、特許文献１の送風装置は、ブロワから発生する騒音や振動がケースの外部に漏れることを防止している。
【先行技術文献】
【特許文献】
【０００５】
【特許文献１】特表２００８−５１８６４０号公報
【発明の概要】
【発明が解決しようとする課題】
【０００６】
しかしながら、ブロワ（送風部）を多重に覆うことで送風装置の重量が増える。そのため、特許文献１の送風装置は、ユーザが送風装置を移動させたり持ち運んだりすることが困難である。【０００７】
そこで本発明は、重量の増加を抑えつつ、送風部から発生する騒音や振動を大幅に減衰できる送風装置を提供することを目的とする。
【課題を解決するための手段】
【０００８】
本発明の送風装置は、送風部と、第１回路基板と、筺体とを備える。送風部は、ファンとファンを回転させるモータとを有する。第１回路基板は、モータの駆動を制御する制御回路を実装するとともに、ファンの回転軸と交差する。筺体は、吸気孔及び排気孔を有するとともに、送風部及び第１回路基板を収納する。第１回路基板は、第１回路基板を正面視したとき、送風部と重なる。【０００９】
この構成では、モータが駆動している間、送風部から騒音や振動が発生する。また、ファンは、回転軸に対して放射状に伸びる複数の羽根を有する。そのため、ファンの直径は、ファンの厚みより長い。すなわち、ファンの上面の面積はファンの側面の面積より大きい。【００１０】
この構成では、第１回路基板がファンの回転軸と交差し、少なくとも送風部の一部を覆っている。すなわち、この構成では、送風部の側面が筐体で一重に覆われ、送風部の上面が第１回路基板及び筐体で多重に覆われている。そのため、この構成の送風装置は、面積の広い送風部の上面から伝わる騒音や振動を大幅に減衰できる。また、この構成の送風装置は、面積の狭い送風部の側面を多重に覆っていない分、軽量化できる。【００１１】
したがって、この構成の送風装置は、重量の増加を抑えつつ、送風部から発生する騒音や振動を大幅に減衰できる。【００１２】
本発明の送風装置は、ファンの回転軸と交差するとともに筐体に収納される第２回路基板を備え、送風部は、第１回路基板および第２回路基板の間の領域に位置することが好ましい。【００１３】
この構成ではさらに、送風部の下面が第２回路基板及び筐体で多重に覆われている。そのため、この構成の送風装置は、面積の広い送風部の下面から伝わる騒音や振動を大幅に減衰できる。【００１４】
本発明の送風装置において筺体は、第１回路基板を固定する固定部を有し、第１回路基板と固定部とは、弾性体を挟んで接着されていることが好ましい。【００１５】
この構成の送風装置は、第１回路基板と固定部との間から漏れる騒音を弾性体で遮断できる。【００１６】
本発明の送風装置において制御回路は、特定の帯域の信号を減衰させるフィルタ回路を含むことが好ましい。【００１７】
この構成の送風装置は、送風部により生じる騒音や振動の発生を抑制することができる。【００１８】
本発明の送風装置は、モータの駆動により生じる音または振動の周波数を検知するセンサを備え、制御回路は、センサが出力する検知結果に基づいてフィルタ回路の設定を行うことが好ましい。【００１９】
この構成の送風装置は、送風部により生じる騒音や振動の周波数を特定し、その周波数をフィルタ回路に設定できる。【００２０】
本発明の送風装置は、送風部から発生する第１の音を検出するマイクロフォンと、
マイクロフォンで検出した第１の音とは逆位相の第２の音を発生させる消音スピーカと、を備え、消音スピーカは、吸気孔に向いた状態で筐体に収納されていることが好ましい。【００２１】
この構成の送風装置は、吸気孔から漏れる騒音を消音スピーカで打ち消すことができる。【００２２】
本発明の送風装置においてファンは、回転軸に対して放射状に伸びる複数の羽根を有し、排気孔は、回転軸に対して複数の羽根より外周に位置し、排気孔の直径は回転軸と平行方向の各羽根の長さより大きいことが好ましい。【００２３】
この構成では、ファンから排出された気体が、他の部材に当たらず直接、排気孔へ流れ易い。そのため、この構成の送風装置は、ファンから排出された気体を効率良く排気孔から排出できる。また、この構成の送風装置は、気体が他の部材に当たり難いため、静音化を図ることができる。
【発明の効果】
【００２４】
本発明の送風装置は、重量の増加を抑えつつ、送風部から発生する騒音や振動を大幅に減衰できる。
【図面の簡単な説明】
【００２５】
【図１】本発明の実施形態に係る送風装置１００の外観斜視図である。
【図２】図１に示す送風装置１００の主要部の断面図である。
【図３】図１に示す送風装置１００の内部の外観斜視図である。
【図４】図１に示す送風装置１００のブロック図である。
【図５】ノッチフィルタ３７を設けていないときの制御系ループの振動周波数特性図である。
【図６】ノッチフィルタ３７の周波数特性図である。
【図７】ノッチフィルタ３７を設けたときの制御系ループの振動周波数特性図である。
【図８】ノッチフィルタ３７を設けていないときの制御系ループの騒音周波数特性図である。
【図９】ノッチフィルタ３７の周波数特性図である。
【図１０】ノッチフィルタ３７を設けたときの制御系ループの騒音周波数特性図である。
【発明を実施するための形態】
【００２６】
以下、本発明の実施形態に係る送風装置について説明する。
【００２７】
図１は、本発明の実施形態に係る送風装置１００の外観斜視図である。図２は、図１に示す送風装置１００の主要部の断面図である。図３は、上筐体１１５及び第１回路基板１３１が中筐体１１０から取り外された状態における送風装置１００の内部の外観斜視図である。
【００２８】
送風装置１００は、送風部１２０、第１回路基板１３１、第２回路基板１３２、センサ１２９、マイクロフォン１４１、消音スピーカ１４０、チューブＴ、マスクＭ、上筐体１１５、中筐体１１０、及び下筐体１０５を備える。送風装置１００は、睡眠時無呼吸症候群の治療法である持続的気道陽圧療法（ＣＰＡＰ）に用いられる。
【００２９】
なお、上筐体１１５、中筐体１１０、及び下筐体１０５は、本発明の筐体の一例に相当する。
【００３０】
上筐体１１５、中筐体１１０、及び下筐体１０５は互いに接合されて、１つの筐体を構成する。下筐体１０５は、吸気孔１０６を有する。中筐体１１０は、チューブＴが装着されるノズル１１２を有し、ノズル１１２の内側に排気孔１１１を有する。排気孔１１１は、図１に示すように、チューブＴを介してマスクＭに接続される。
【００３１】
上筐体１１５、中筐体１１０、及び下筐体１０５は、送風部１２０、第１回路基板１３１、第２回路基板１３２、センサ１２９、マイクロフォン１４１、及び消音スピーカ１４０を収納する。
【００３２】
上筐体１１５は、上筐体１１５の内側に向けて突出する固定部１１６を有する。第１回路基板１３１は、固定部１１６上に載置されるとともに、弾性体（例えばゴム）を挟んで固定部１１６に接着されている。そのため、送風装置１００は、第１回路基板１３１と固定部１１６との間から漏れる送風部１２０の騒音を弾性体で遮断できる。
【００３３】
中筐体１１０は、取付板１２４を有している。取付板１２４は振動を吸収する素材、例えばエラストマーや鋼板で構成される。取付板１２４には、送風部１２０及びセンサ１２９が取り付けられている。
【００３４】
センサ１２９は、例えば加速度センサである。センサ１２９は、送風部１２０により生じる音または振動の周波数を検知する。第２回路基板１３２は、下筐体１０５上に載置されるとともに、弾性体（例えばゴム）を挟んで固定部１１６に接着されている。
【００３５】
送風部１２０は、ファン１２１とファン１２１を回転させるモータ１２５とを有する。ファン１２１は、回転軸Ｒに対して放射状に伸びる複数の羽根１２３を有する。排気孔１１１は、図２、図３に示すように、回転軸Ｒに対して複数の羽根１２３より外周に位置する。また、排気孔１１１の直径が各羽根１２３の回転軸と平行方向の長さより大きい。送風部１２０は、第１回路基板１３１および第２回路基板１３２の間の領域に位置する。
【００３６】
第１回路基板１３１は、複数の層からなる多層基板である。第１回路基板１３１は、ファン１２１の回転軸Ｒと垂直に交差する。第１回路基板１３１は、第１回路基板１３１を上筐体１１５側から正面視したとき、送風部１２０を覆う。
【００３７】
第２回路基板１３２は、複数の層からなる多層基板である。第２回路基板１３２は、ファン１２１の回転軸Ｒと垂直に交差する。第２回路基板１３２は、第２回路基板１３２を下筐体１０５側から正面視したとき、送風部１２０を覆う。
【００３８】
以上の構成において送風装置１００は例えば図１に示すように、患者Ｕが寝ている間にモータ１２５を駆動してファン１２１を回転させる。空気は、ファン１２１が回転することで、吸気孔１０６から吸引され、ファン１２１の下方から流入する。そして、空気は、ファン１２１の外周から回転軸Ｒに対して放射状に排気孔１１１に向けて排出される。
【００３９】
次に、排気孔１１１から排出された空気は、チューブＴを介して、患者Ｕの鼻に装着したマスクＭ内に流入する。マスクＭ内に流入した空気は、患者Ｕの口又は鼻から気道に流入する。これにより送風装置１００は、一定の圧力（例えば４ｃｍＨ２Ｏ以上２０ｃｍＨ２Ｏ以下）を患者Ｕの気道にかけることができる。そのため、送風装置１００は、睡眠時に患者Ｕの気道が閉塞することを防止し、患者Ｕが無呼吸になることを防ぐことができる。
【００４０】
しかし、送風装置１００は、一定の圧力を患者Ｕの気道にかけるために、前述のモータ１２５を高速で回す必要がある。これにより、モータ１２５の反動トルクが大きくなる。そのため、反動トルクが送風部１２０の共振周波数を励起し、送風部１２０の振動が引き起こされやすくなる。また、ファン１２１は、「ファン１２１の回転速度×羽根の枚数」に相当する周波数とこの周波数の整数倍とにおいて、振動音や大きな風切り音などの騒音を発生する可能性がある。
【００４１】
したがって、モータ１２５が駆動している間、患者Ｕが寝ているにも係らず、送風部１２０から騒音や振動が発生する可能性がある。
【００４２】
図４は、図１に示す送風装置１００のブロック図である。図５は、ノッチフィルタ３７を設けていないときの制御系ループの振動周波数特性図である。図６は、ノッチフィルタ３７の周波数特性図である。図７は、ノッチフィルタ３７を設けたときの制御系ループの振動周波数特性図である。図８は、ノッチフィルタ３７を設けていないときの制御系ループの騒音周波数特性図である。図９は、ノッチフィルタ３７の周波数特性図である。図１０は、ノッチフィルタ３７を設けたときの制御系ループの騒音周波数特性図である。
【００４３】
送風装置１００は、図４に示すように、センサ１２９、表示部８１、操作部８２、制御回路３０、駆動回路２１、モータ１２５、消音スピーカ１４０、マイクロフォン１４１を備えている。モータ１２５は、ホールセンサ１１を内部に有する。
【００４４】
センサ１２９、表示部８１、操作部８２、制御回路３０、及び駆動回路２１は、第１回路基板１３１に実装されている。消音スピーカ１４０及びマイクロフォン１４１は、第２回路基板１３２に実装されている。第２回路基板１３２は、不図示の配線を介して第１回路基板１３１に電気的に接続している。
【００４５】
表示部８１は、図１に示す表示画面１８１を有する。表示部８１は、送風装置１００の設定情報等を表示画面１８１に表示する。例えば表示部８１は、制御回路３０の指示に基づいて例えば患者Ｕの気道に印加する空気の圧力（設定圧力）を表示画面１８１に表示する。
【００４６】
操作部８２は、図１に示すように、操作入力を受け付ける複数の操作キー１８２を有する。複数の操作キー１８２は、例えば電源キーや圧力設定キーなどを含む。例えば医療従事者は、患者Ｕの気道に印加する空気の圧力を、複数の操作キー１８２で設定する。
【００４７】
マイクロフォン１４１は、送風部１２０から発生する第１の音を検出し、第１の音を示す第１音声信号を制御回路３０に出力する。制御回路３０は、マイクロフォン１４１で検出した第１の音とは逆位相の第２の音を示す第２音声信号を生成し、消音スピーカ１４０に出力する。
【００４８】
消音スピーカ１４０は、第２音声信号を処理し、マイクロフォン１４１で検出した第１の音とは逆位相の第２の音を発生させる。消音スピーカ１４０は、吸気孔１０６に向いている。そのため、送風装置１００は、吸気孔１０６から漏れる騒音を消音スピーカ１４０で打ち消すことができる。
【００４９】
なお、排気孔１１１は、チューブＴを介してマスクＭに接続するため、騒音は排気孔１１１から殆ど漏れ無い。そのため、送風装置１００では、吸気孔１０６だけに向けて、消音スピーカ１４０が配置されている。
【００５０】
制御回路３０は、圧力検出部４２、圧力指示部３１、減算部３２、速度検出部１７、速度指示部３４、減算部３５、速度制御部３６、及びノッチフィルタ３７を有している。ノッチフィルタ３７が本発明のフィルタ回路の一例に相当する。
【００５１】
送風装置１００には排気孔１１１に圧力センサ４１が設けられている。圧力検出部４２は、圧力センサ４１の出力から現時点の空気の圧力を検出し、現時点の空気の圧力を示す値を減算部３２に出力する。一方、圧力指示部３１は、例えば操作部８２において予め設定された空気の圧力（処方圧）を示す値を減算部３２に出力する。減算部３２は、予め設定された空気の圧力（処方圧）を示す値から、現時点の空気の圧力を示す値を減算して、偏差信号を速度指示部３４に出力する。
【００５２】
すなわち制御回路３０は、圧力センサ４１の出力に基づいて、患者Ｕの気道に印加される空気の圧力を監視し、圧力制御を行う。ここで、患者Ｕが呼吸することにより、空気の流量が変化する。その場合でも患者Ｕの気道に印加される空気の圧力が一定に保たれるように圧力制御が稼働し、速度指示部３４は、モータ１２５の目標回転速度Ｙを表す信号を生成する。
【００５３】
モータ１２５の目標回転速度Ｙは、予め設定された空気の圧力（処方圧）となるように圧力制御が稼働し、速度指示部３４に設定される。モータ１２５の回転速度は、ファン１２１の回転数に対応する。患者Ｕの気道に印加される空気の圧力は、ファン１２１の回転数に依存する。
【００５４】
すなわち、ファン１２１の回転数の上昇とともに、患者Ｕの気道に印加される空気の圧力が上昇する。なお、速度指示部３４は、患者Ｕが呼気した時に予め決められただけ圧力を下げることで、患者Ｕの負担を低減させることも可能である。
【００５５】
そして、速度指示部３４は、モータ１２５の目標回転速度Ｙを表す信号を減算部３５に出力する。
【００５６】
なお、前述の圧力センサ４１は排気孔１１１ではなく、チューブＴ内やマスクＭ内など、より患者に近い位置に設けることで、圧力損失等による誤差が低減でき、圧力制御の精度が向上する。
【００５７】
減算部３５の正側入力には、速度指示部３４から、モータ１２５の目標回転速度Ｙを表す信号が入力される。一方、減算部３５の負側入力には、速度検出部１７によって検出されたモータ１２５の現時点の回転速度Ｘを表す信号が入力される。減算部３５は、目標回転速度Ｙを表す信号から、モータ１２５の現時点の回転速度Ｘを表す信号を減算して、偏差信号Ｙ−Ｘを速度制御部３６に出力する。
【００５８】
速度制御部３６は、偏差信号Ｙ−Ｘが「０」となるように、モータ１２５において発生させるトルクを算出する。そして、速度制御部３６は、算出したトルクを表すトルク指令をノッチフィルタ３７に出力する。この場合、速度制御部３６は例えば、偏差信号Ｙ−Ｘにゲインを乗算して、比例制御に基づくトルク指令を算出する。
【００５９】
ノッチフィルタ３７は、特定の周波数帯域の信号に対して減衰効果の高いフィルタである。制御回路３０は、例えば図５に示すように、送風部１２０にとって固有の共振周波数であるピークＰ１、Ｐ２に対応した周波数をノッチフィルタ３７に予め設定する。これによりノッチフィルタ３７は、例えば図６に示すような周波数特性を有する。そのため、ノッチフィルタ３７は、速度制御部３６から入力されたトルク指令から、ピークＰ１、Ｐ２に対応した周波数成分を除去する。
【００６０】
また、制御回路３０は、例えば図８に示すように、送風部１２０から発生する騒音の周波数のピークＰ５、Ｐ６に対応した周波数をノッチフィルタ３７に予め設定する。ファン１２１は、「ファン１２１の回転速度×羽根の枚数」に相当する周波数とこの周波数の整数倍とにおいて、振動音や大きな風切り音などの騒音を発生する。これによりノッチフィルタ３７は、例えば図９に示すような周波数特性を有する。そのため、ノッチフィルタ３７は、速度制御部３６から入力されたトルク指令から、ピークＰ５、Ｐ６に対応した周波数成分を除去する。
【００６１】
そして、ノッチフィルタ３７は、フィルタ処理されたトルク指令を駆動回路２１に出力する。
【００６２】
なお、センサ１２９が、送風部１２０にとって固有の共振周波数であるピークＰ１、Ｐ２に対応した周波数を検知し、制御回路３０は、センサ１２９が出力する検知結果に基づいてノッチフィルタ３７の設定を行っても良い。この場合、送風装置１００は、送風部１２０により生じる振動の周波数をセンサ１２９で特定し、その周波数をノッチフィルタ３７に設定できる。
【００６３】
駆動回路２１は、ノッチフィルタ３７を通過したトルク指令を、モータ１２５に前記トルクを発生させるための電流値に変換する。そして、駆動回路２１は、変換した電流値を表す駆動電流をモータ１２５に供給する。これにより、モータ１２５は、前記トルクで回転する。一方、前述のフィルタ処理により、ピークＰ１、Ｐ２、Ｐ５、Ｐ６に対応する電流値はほぼ０となるため、ピークＰ１、Ｐ２、Ｐ５、Ｐ６に対応する周波数ではモータ１２５が殆ど加減速しない。
【００６４】
次に、ホールセンサ１１は、モータ１２５の内部で生じる磁界を検出し、磁界の大きさに比例したアナログ信号を速度検出部１７に出力する。このアナログ信号は、モータ１２５に備えられるロータ（不図示）の位置を示す。速度検出部１７は、ホールセンサ１１から入力されたアナログ信号に基づいて、モータ１２５の現時点の回転速度Ｘを検出する。そして、速度検出部１７は、モータ１２５の現時点の回転速度Ｘを表す検出信号を、前述のように減算部３５に出力する。すなわち、モータ１２５の現時点の回転速度Ｘが減算部３５にフィードバックされる。
【００６５】
以上のようなフィードバック制御により、モータ１２５は、目標回転速度Ｙまで回転制御される。このとき、ノッチフィルタ３７は、モータ１２５を駆動制御するためのトルク指令から、送風部１２０の共振周波数および騒音周波数を除去する。
【００６６】
これにより、例えば図５、図７に示すように、ピークＰ１、Ｐ２を示す周波数の信号は、ノッチフィルタ３７によって減衰し、ピークＰ３、Ｐ４を示す周波数の信号となる。したがって、送風装置１００は、送風部１２０の共振振動の発生を抑制できる。
【００６７】
さらに、例えば図８、図１０に示すように、ピークＰ５、Ｐ６を示す周波数の信号は、ノッチフィルタ３７によって減衰し、ピークＰ７、Ｐ８を示す周波数の信号となる。したがって、送風装置１００は、送風部１２０の騒音の発生を抑制できる。
【００６８】
また、送風装置１００においてファン１２１は、回転軸Ｒに対して放射状に伸びる複数の羽根１２３を有する。そのため、ファン１２１の直径は、ファン１２１の厚みより長い。すなわち、ファン１２１の上面の面積はファン１２１の側面の面積より大きい。
【００６９】
送風装置１００では、第１回路基板１３１がファン１２１の回転軸Ｒと交差し、送風部１２０を覆っている。すなわち、送風装置１００では、送風部１２０の側面が中筐体１１０で一重に覆われ、送風部１２０の上面が第１回路基板１３１及び上筐体１１５で多重に覆われている。そのため、送風装置１００は、面積の広い送風部１２０の上面から伝わる騒音や振動を大幅に減衰できる。また、送風装置１００は、面積の狭い送風部１２０の側面を多重に覆っていない分、軽量化できる。
【００７０】
したがって、送風装置１００は、重量の増加を抑えつつ、送風部１２０から発生する騒音や振動を大幅に減衰できる。
【００７１】
さらに、送風装置１００では送風部１２０の下面が第２回路基板１３２及び下筐体１０５で多重に覆われている。そのため、送風装置１００は、面積の広い送風部１２０の下面から伝わる騒音や振動を大幅に減衰できる。
【００７２】
なお、排気孔１１１は、図２、図３に示すように、回転軸Ｒに対して複数の羽根１２３より外周に位置する。また、排気孔１１１の直径が各羽根１２３の回転軸と平行方向の長さより大きい。そして、ファン１２１が回転している間、空気は、ファン１２１の外周から排気孔１１１を経て、筐体の外へ排出される。そのため、ファン１２１から排気孔１１１に至る空気が、他の部材にあまり当たらず直接、排気孔１１１へ流れ易い。よって、送風装置１００は、空気を効率良く排気孔１１１から排出できる。また、送風装置１００は、空気が他の部材に当たり難いため、静音化を図ることができる。
【００７３】
《その他の実施形態》
なお、前記実施形態では気体として空気を用いているが、これに限るものではない。実施の際、当該気体が、空気と酸素の混合気体であっても適用できる。
【００７４】
また、前記実施形態では第１回路基板１３１は、第１回路基板１３１を上筐体１１５側から正面視したとき、送風部１２０の全体と重なっているが、これに限るものではない。実施の際、第１回路基板１３１は、第１回路基板１３１を上筐体１１５側から正面視したとき、送風部１２０の一部と重なっているだけでもよい。
【００７５】
また、前記実施形態では持続的気道陽圧療法（ＣＰＡＰ）の用途に送風装置が用いられるが、これに限るものではない。実施の際、その他の用途（例えば機械的人口呼吸の用途）に送風装置が用いられてもよい。
【００７６】
また、この実施形態ではモータ１２５がホールセンサ１１を有しているが、これに限るものではない。実施の際、モータ１２５は、ホールセンサ１１又はエンコーダの少なくともいずれか一方を有していればよい。エンコーダは、モータ１２５の回転角度位置に応じた回転信号を速度検出部１７に出力する。
【００７７】
なお、上述の実施形態の説明は、すべての点で例示であって、制限的なものではないと考えられるべきである。本発明の範囲は、上述の実施形態ではなく、特許請求の範囲によって示される。さらに、本発明の範囲は、特許請求の範囲と均等の範囲とを含む。
【符号の説明】
【００７８】
Ｍ…マスク
Ｒ…回転軸
Ｔ…チューブ
Ｕ…患者
１１…ホールセンサ
１７…速度検出部
２１…駆動回路
３０…制御回路
３１…圧力指示部
３２…減算部
３４…速度指示部
３５…減算部
３６…速度制御部
３７…ノッチフィルタ
４１…圧力センサ
４２…圧力検出部
８１…表示部
８２…操作部
１００…送風装置
１０５…下筐体
１０６…吸気孔
１１０…中筐体
１１１…排気孔
１１２…ノズル
１１５…上筐体
１１６…固定部
１２０…送風部
１２１…ファン
１２３…羽根
１２４…取付板
１２５…モータ
１２９…センサ
１３１…第１回路基板
１３２…第２回路基板
１４０…消音スピーカ
１４１…マイクロフォン
１８１…表示画面
１８２…操作キー
【図１】
2017029950.tif 000003
【図２】
2017029950.tif 000004
【図３】
2017029950.tif 000005
【図４】
2017029950.tif 000006
【図５】
2017029950.tif 000007
【図６】
2017029950.tif 000008
【図７】
2017029950.tif 000009
【図８】
2017029950.tif 000010
【図９】
2017029950.tif 000011
【図１０】
2017029950.tif 000012
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
ファンと前記ファンを回転させるモータとを有する送風部と、
前記モータの駆動を制御する制御回路を実装するとともに、前記ファンの回転軸と交差する第１回路基板と、
吸気孔及び排気孔を有するとともに、前記送風部及び前記第１回路基板を収納する筺体と、を備え、
前記排気孔は、前記ファンの外周に面して位置し、
前記第１回路基板は、前記第１回路基板を正面視したとき、前記送風部と重なることを特徴とする送風装置。
【請求項２】
前記第１回路基板は、前記第１回路基板を正面視したとき、前記送風部の全体と重なることを特徴とする請求項１に記載の送風装置。
【請求項３】
前記ファンの回転軸と交差するとともに前記筺体に収納される第２回路基板を備え、
前記送風部は、前記第１回路基板および前記第２回路基板の間の領域に位置することを特徴とする請求項１又は請求項２に記載の送風装置。
【請求項４】
前記筺体は、前記第１回路基板を固定する固定部を有し、
前記第１回路基板と前記固定部とは、弾性体を挟んで接着されていることを特徴とする請求項１から３のいずれか１項に記載の送風装置。
【請求項５】
前記制御回路は、特定の帯域の信号を減衰させるフィルタ回路を含むことを特徴とする請求項１から４のいずれか１項に記載の送風装置。
【請求項６】
前記モータの駆動により生じる音または振動の周波数を検知するセンサを備え、
前記制御回路は、前記センサが出力する検知結果に基づいて前記フィルタ回路の設定を行うことを特徴とする請求項５に記載の送風装置。
【請求項７】
前記送風部から発生する第１の音を検出するマイクロフォンと、
前記マイクロフォンで検出した前記第１の音とは逆位相の第２の音を発生させる消音スピーカと、を備え、
前記消音スピーカは、前記吸気孔に向いた状態で前記筺体に収納されていることを特徴とする請求項１から６のいずれか１項に記載の送風装置。
【請求項８】
前記ファンは、前記回転軸に対して放射状に伸びる複数の羽根を有し、
前記排気孔は、前記回転軸に対して前記複数の羽根より外周に位置し、
前記排気孔の直径は、前記回転軸と平行方向の各羽根の長さより大きいことを特徴とする請求項１から７のいずれか１項に記載の送風装置。
【国際調査報告】
2017029950.tif 000013
2017029950.tif 000014
2017029950.tif 000015
2017029950.tif 000016